(57)【要約】      （修正有）【課題】空調衣服の快適性を損なうことなく当該空調衣服を使用可能な時間を長くする空調衣服の電源装置及び空調衣服を提供する。【解決手段】電源装置５０は、空調衣服のファンに供給される電源電圧を調整する電源電圧制御手段（制御部５１、電源電圧制御回路５５）を備え、電源電圧制御手段は、電源電圧を７．２Ｖ（第１の値）に設定する第１の期間と、電源電圧を６．０Ｖ（第２の値）に設定する第２の期間と、が交互に現れるように電源電圧を調整する。【選択図】図２
2018194175.tif 000002
【特許請求の範囲】
【請求項１】
空調衣服の電源装置であって、
前記空調衣服のファンに供給される電源電圧を調整する電源電圧制御手段を備え、
前記電源電圧制御手段は、前記電源電圧を第１の値に設定する第１の期間と、前記電源電圧を当該第１の値よりも低い第２の値に設定する第２の期間と、が交互に現れるように前記電源電圧を調整することを特徴とする空調衣服の電源装置。
【請求項２】
前記電源電圧制御手段は、前記第１の期間と前記第２の期間とが等間隔で現れるように前記電源電圧を調整することを特徴とする請求項１に記載の空調衣服の電源装置。
【請求項３】
前記第１の期間と前記第２の期間とが交互に現れるように前記電源電圧を調整する第１のモード、及び、ユーザ操作に基づき前記電源電圧を調整する第２のモードのいずれかのモードを選択するモード選択手段を備えることを特徴とする請求項１又は２に記載の空調衣服の電源装置。
【請求項４】
前記空調衣服の内側の湿度を計測する湿度計測手段を備え、
前記第１の期間を前記湿度計測手段により計測される湿度の値が所定値を超えている期間とし、前記第２の期間を前記湿度計測手段により計測される湿度の値が前記所定値以下となる期間とすることを特徴とする請求項１に記載の空調衣服の電源装置。
【請求項５】
前記空調衣服の内側の温度を計測する温度計測手段を備え、
前記第１の期間を前記温度計測手段により計測される温度の値が所定値を超えている期間とし、前記第２の期間を前記温度計測手段により計測される温度の値が前記所定値以下となる期間とすることを特徴とする請求項１に記載の空調衣服の電源装置。
【請求項６】
請求項１〜５のいずれか一項に記載の空調衣服の電源装置と、
服本体と、
前記服本体内に空気を取り込むファンと、
を備えることを特徴とする空調衣服。
【発明の詳細な説明】
【技術分野】
【０００１】
本発明は、空調衣服の電源装置及び空調衣服に関するものである。
【背景技術】
【０００２】
近年、身体を冷却する空調衣服が実用化され急激に普及しつつある。空調衣服は、例えば、通気性の低い素材で縫製された服本体と、服本体の後側の下方に取り付けられた２つのファンと、２つのファンに電力を供給するための電源装置と、電源装置と２つのファンとを電気的に接続するための電源ケーブルと、を備える。
【０００３】
空調衣服は、ファンを作動させると、大量の空気がファンから服本体内に取り込まれる。取り込まれた空気の圧力により服本体と身体又は下着との間に空気流通路が自動的に形成され、取り込まれた空気は、形成された空気流通路を身体又は下着の表面に沿って上方に流通し、例えば、襟部の周囲や袖口部から外部に排出される。そして、空気は、服本体と身体又は下着との間の空気流通路を流通する間に身体から出た汗を蒸発させ、蒸発する時の気化熱により身体が冷却される（例えば、特許文献１参照）。
【先行技術文献】
【特許文献】
【０００４】
【特許文献１】国際公開第２００５／０６３０６５号
【発明の概要】
【発明が解決しようとする課題】
【０００５】
ところで、従来の空調衣服ではファンの風量を調整可能となっているが、例えば、夏場の屋外等で空調衣服を使用する場合、ファンの風量を最も強いレベルに調整するケースが殆どである。かかる場合、空調衣服により快適性を得ることができるが、ファンの消費電力が増えてしまうため、空調衣服を使用可能な時間が短くなってしまうといった問題がある。
【０００６】
本発明の課題は、空調衣服の快適性を損なうことなく当該空調衣服を使用可能な時間を長くすることにある。
【課題を解決するための手段】
【０００７】
上記課題を達成するため、請求項１に記載の発明は、
空調衣服の電源装置であって、
前記空調衣服のファンに供給される電源電圧を調整する電源電圧制御手段を備え、
前記電源電圧制御手段は、前記電源電圧を第１の値に設定する第１の期間と、前記電源電圧を当該第１の値よりも低い第２の値に設定する第２の期間と、が交互に現れるように前記電源電圧を調整することを特徴とする。
【０００８】
請求項２に記載の発明は、請求項１に記載の空調衣服の電源装置において、
前記電源電圧制御手段は、前記第１の期間と前記第２の期間とが等間隔で現れるように前記電源電圧を調整することを特徴とする。
【０００９】
請求項３に記載の発明は、請求項１又は２に記載の空調衣服の電源装置において、
前記第１の期間と前記第２の期間とが交互に現れるように前記電源電圧を調整する第１のモード、及び、ユーザ操作に基づき前記電源電圧を調整する第２のモードのいずれかのモードを選択するモード選択手段を備えることを特徴とする。
【００１０】
請求項４に記載の発明は、請求項１に記載の空調衣服の電源装置において、
前記空調衣服の内側の湿度を計測する湿度計測手段を備え、
前記第１の期間を前記湿度計測手段により計測される湿度の値が所定値を超えている期間とし、前記第２の期間を前記湿度計測手段により計測される湿度の値が前記所定値以下となる期間とすることを特徴とする。
【００１１】
請求項５に記載の発明は、請求項１に記載の空調衣服の電源装置において、
前記空調衣服の内側の温度を計測する温度計測手段を備え、
前記第１の期間を前記温度計測手段により計測される温度の値が所定値を超えている期間とし、前記第２の期間を前記温度計測手段により計測される温度の値が前記所定値以下となる期間とすることを特徴とする。
【００１２】
請求項６に記載の発明の空調衣服は、
請求項１〜５のいずれか一項に記載の空調衣服の電源装置と、
服本体と、
前記服本体内に空気を取り込むファンと、
を備えることを特徴とする。
【発明の効果】
【００１３】
本発明によれば、空調衣服の快適性を損なうことなく当該空調衣服を使用可能な時間を長くすることができる。
【図面の簡単な説明】
【００１４】
【図１】（ａ）は空調衣服の概略正面図であり、（ｂ）は空調衣服の概略背面図である。
【図２】電源装置の主制御構成を示すブロック図である。
【図３】高効率モードにおける電源電圧の設定の態様を示す図である。
【発明を実施するための形態】
【００１５】
以下、本発明の実施の形態を図面に基づいて順に詳細に説明する。但し、本発明は、図示例に限定されるものではない。
【００１６】
（実施形態）
図１〜図３を参照して、本発明に係る実施の形態を説明する。先ず、図１を参照して、本実施の形態の空調衣服１００の全体構成を説明する。図１（ａ）は、空調衣服１００の概略正面図であり、図１（ｂ）は、空調衣服１００の概略背面図である。
【００１７】
図１（ａ），（ｂ）に示すように、空調衣服１００は、服本体１０と、開閉手段２０と、空気排出部３０，…と、二つのファン４０，４０と、電源装置５０と、を備える。
【００１８】
服本体１０は、身体の少なくとも上半身及び腕部を覆うものである。本実施形態では、服本体１０を用いて、長袖の衣服、具体的にはジャンパー型の衣服を製作している。また、服本体１０は、服本体１０と身体又は下着との間の空間において、ファン４０，４０により取り込まれた空気を身体又は下着の表面に沿って案内するという役割をも果たす。なお、本実施形態では、「下着」とは、空調衣服１００の下に着用される衣類を意味する。
【００１９】
服本体１０の前部には、図１（ａ）に示すように、開閉手段２０が設けられている。この開閉手段２０は、空調衣服１００を着用する際にその前部を開閉するためのものである。例えば、開閉手段２０として、ファスナーが用いられる。
【００２０】
空気排出部３０，…は、服本体１０と身体又は下着との間の空間内を流れる空気を外部に排出するものである。具体的には、服本体１０の襟周り部分や、服本体１０の左右の袖口部に形成される開口部が空気排出部３０，…である。
【００２１】
ファン４０，４０は、服本体１０と身体又は下着との間の空間に空気の流れを強制的に生じさせるものである。二つのファン４０，４０は、外部の空気を服本体１０内に取り込む方向に回転する。外部の空気がファン４０，４０を介して服本体１０内に取り込まれると、その取り込まれた空気の圧力によって、服本体１０と身体又は下着との間に、空気の流通空間が自動的に形成される。これにより、服本体１０と身体又は下着との間の空間において、上半身及び腕部を包み込むような空気の流れが生じる。
【００２２】
電源装置５０は、ファン４０，４０に電力を供給するための装置である。電源装置５０は、例えば、図１（ａ）に示すように、服本体１０の右内側ポケットに収納される。電源装置５０と二つのファン４０，４０とは電源ケーブル（図示省略）により接続される。
【００２３】
次に、図２を参照して、電源装置５０の構成を説明する。図２は、電源装置５０の主制御構成を示すブロック図である。
【００２４】
図２に示すように、電源装置５０は、制御部（電源電圧制御手段）５１と、操作部（モード選択手段）５２と、表示部５３と、タイマ５４と、電源電圧制御回路（電源電圧制御手段）５５と、蓄電池５６と、を備える。
【００２５】
制御部５１は、例えば、ＣＰＵ、ＲＯＭ、ＲＡＭ（いずれも図示省略）からなり、ＲＯＭに記録された処理プログラムをＲＡＭに展開してＣＰＵによりこの処理プログラムを実行するものである。
【００２６】
操作部５２は、電源装置５０の電源のＯＮ／ＯＦＦを切り替える電源ボタン（図示省略）、モード（例えば、後述する高効率モードやマニュアルモード）の選択指示やマニュアルモードにおける電源電圧の設定値の選択指示に係るカーソルボタンや決定ボタン等を備えており、この操作部５３からの指示に基づいて制御部５１は各部を制御するようになっている。
【００２７】
表示部５３は、取得したデータを制御部５１による制御に基づいて表示するものであり、例えば、７セグメント型の表示器（ＬＥＤランプ）等で構成されている。
【００２８】
タイマ５４は、所定時間毎に制御部５１に信号を出力するインターバルタイマである。
【００２９】
電源電圧制御回路５５は、制御部５１による制御に基づいて蓄電池５１からファン４０，４０に供給される電源電圧を調整する回路である。
具体的には、マニュアルモード（第２のモード）が選択されている場合、電源電圧制御回路５５は、制御部５１による制御に基づいて、操作部５２により選択指示された設定値に電源電圧を調整する。例えば、操作部５２により、選択可能な電源電圧（例えば、７．２Ｖ、６．０Ｖ、５．０Ｖ、３．３Ｖの４段階）から７．２Ｖが選択されている場合、電源電圧制御回路５５は、制御部５１による制御に基づいて、電源電圧を７．２Ｖに調整する。
一方、高効率モード（第１のモード）が選択されている場合、図３に示すように、電源電圧制御回路５５は、制御部５１による制御に基づいて、所定時間（例えば３秒）（第１の期間）の間、電源電圧を７．２Ｖ（第１の値）とし、当該期間の後に、所定時間（例えば３秒）かけて電源電圧を７．２Ｖから６．０Ｖに下降させ、当該期間の後に、所定時間（例えば３秒）（第２の期間）の間、電源電圧を６．０Ｖ（第２の値）とし、当該期間の後に、所定時間（例えば３秒）かけて電源電圧を６．０Ｖから７．２Ｖに上昇させる一連の動作を１サイクルとして、順次電源電圧を調整する。
【００３０】
蓄電池５６は、充電と放電を繰り返すことによって使用される二次電池であり、例えば、リチウムイオンバッテリー等である。
【実施例】
【００３１】
次に、高効率モードにより電源電圧を出力し続けた場合の空調衣服１００（実施例）とマニュアルモードにより電源電圧（７．２Ｖ）を出力し続けた場合の空調衣服１００（比較例）との各々について、空調衣服１００を連続して使用できる時間（連続使用時間）を計測した結果（増減比）を、表１を用いて説明する。
【００３２】
また、上記の実施例と比較例との各々について、空調衣服１００を着用した際の快適性に関する評価を、表２を用いて説明する。評価の方法としては、実施例と比較例の各々の空調衣服１００を１０名のユーザに着用してもらい、快適性を、「快適」、「やや快適」、「どちらでもない」、「やや不快」、「不快」の５段階評価で回答してもらう方法を採用した。
【００３３】
【表１】
2018194175.tif 000003
【００３４】
【表２】
2018194175.tif 000004
【００３５】
表１に示す結果のとおり、実施例の連続使用時間は比較例の連続使用時間の１．１６倍であり、比較例に比べて実施例の方が連続使用時間は長くなることがわかった。
また、表２に示す結果のとおり、快適性に関して、実施例は比較例に比べて遜色がないことがわかった。
【００３６】
以上、本実施の形態によれば、電源装置５０は、空調衣服１００のファン４０，４０に供給される電源電圧を調整する電源電圧制御手段（制御部５１、電源電圧制御回路５５）を備え、電源電圧制御手段は、電源電圧を７．２Ｖ（第１の値）に設定する第１の期間と、電源電圧を６．０Ｖ（第２の値）に設定する第２の期間と、が交互に現れるように電源電圧を調整したこととなる。
このため、電源電圧を可変させることによって、消費電力を削減することができる。また、空調衣服１００を膨らむ前の状態と膨らんだ状態とに順次変換することができるので、ファン４０，４０を介して服本体１０内に取り込んだ空気が身体表面から離れた箇所を流れてしまうことを抑制し、当該空気を効率良く身体表面へ流すことができる。これにより、空調衣服の快適性を損なうことなく当該空調衣服を使用可能な時間を長くすることができる。
【００３７】
また、本実施の形態によれば、電源電圧制御手段（制御部５１、電源電圧制御回路５５）は、電源電圧を７．２Ｖ（第１の値）に設定する第１の期間と、電源電圧を６．０Ｖ（第２の値）に設定する第２の期間と、が等間隔で現れるように電源電圧を調整したこととなる。
このため、空調衣服１００を膨らむ前の状態と膨らんだ状態とに滞りなく変換することができるので、ファン４０，４０を介して服本体１０内に取り込んだ空気をより効率良く身体表面へ流すことができる。
【００３８】
また、本実施の形態によれば、高効率モード（第１のモード）及びマニュアルモード（第２のモード）のいずれかのモードを選択する操作部５２を備える。
このため、空調衣服１００の使用環境に応じてモードを選択することができるので、空調衣服１００の使い勝手を向上させることができる。
【００３９】
以上、本実施の形態に基づいて具体的に説明したが、本発明は上記実施の形態に限定されるものではなく、その要旨を逸脱しない範囲で変更可能である。
【００４０】
例えば、上記実施の形態では、電源電圧制御回路５５は、高効率モードにおいて、最高値（第１の値）が７．２Ｖ、最低値（第２の値）が６．０Ｖとなるように、電源電圧を調整するようにしたが、最高値と最低値は適宜設定変更可能である。また、最低値は０Ｖとしてもよい。
【００４１】
また、上記実施の形態では、電源装置５０が服本体１０の内側の湿度を計測可能な湿度計を備え、電源電圧制御回路５５は、制御部５１による制御に基づいて、上記湿度計の計測値が所定値を超えている間は、電源電圧を７．２Ｖとし、上記湿度計の計測値が所定値以下となる間は、電源電圧を６．０Ｖとするようにしてもよい。
上記のように電源電圧を調整した場合、例えば、空調衣服１００を着用したユーザが汗をかいている間、すなわち空調衣服１００による冷却効果が見込まれる間は、電源電圧を７．２Ｖとすることにより、ファン４０，４０の風量を上げる一方で、当該ユーザが汗をかいていない間、すなわち空調衣服１００による冷却効果が見込まれない間は、電源電圧を６．０Ｖとすることにより、ファン４０，４０の風量を下げるといった制御を行うことができるので、空調衣服１００による冷却効果を効率よく発揮させることができるようになる。
【００４２】
また、電源電圧制御回路５５は、上記湿度計の計測値が所定値を超えている間は、例えば、３秒（第１の期間）の間、電源電圧を７．２Ｖ（第１の値）とし、当該期間の後に、３秒かけて電源電圧を７．２Ｖから６．０Ｖに下降させ、当該期間の後に、３秒（第２の期間）の間、電源電圧を６．０Ｖ（第２の値）とし、当該期間の後に、３秒かけて電源電圧を６．０Ｖから７．２Ｖに上昇させる第１のパターンに基づき、順次電源電圧を調整し、上記湿度計の計測値が所定値以下となる間は、例えば、３秒（第１の期間）の間、電源電圧を７．２Ｖ（第１の値）とし、当該期間の後に、３秒かけて電源電圧を７．２Ｖから６．０Ｖに下降させ、当該期間の後に、１０秒（第２の期間）の間、電源電圧を６．０Ｖ（第２の値）とし、当該期間の後に、３秒かけて電源電圧を６．０Ｖから７．２Ｖに上昇させる第２のパターンに基づき、順次電源電圧を調整するようにしてもよい。なお、上記の第１のパターン及び第２のパターンは、パターンテーブルとして、予め制御部５１のＲＯＭに格納されているものとする。
【００４３】
また、上記実施の形態では、電源装置５０が服本体１０の内側の温度を計測可能な温度計を備え、電源電圧制御回路５５は、制御部５１による制御に基づいて、上記温度計の計測値が所定値を超えている間は、電源電圧を７．２Ｖとし、上記温度計の計測値が所定値以下となる間は、電源電圧を６．０Ｖとするようにしてもよい。
上記のように電源電圧を調整した場合、空調衣服１００の服本体内の温度を自動調節することができるので、空調衣服１００を着用した際の快適性を容易に得ることができる。
【００４４】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００４５】
１００  空調衣服
１０  服本体
２０  開閉手段
３０  空気排出部
４０  ファン
５０  電源装置
５１  制御部
５２  操作部
５３  表示部
５４  タイマ
５５  電源電圧制御回路
５６  蓄電池
【図１】
2018194175.tif 000005
【図２】
2018194175.tif 000006
【図３】
2018194175.tif 000007